(57)【要約】【課題】公衆回線に対応する管理装置とは別に、携帯電話等に対応する管理装置を新規に開発した場合でも、２種類の管理装置を生産する必要がなく、また、携帯電話等の世代交代に応じて、管理装置をその都度、開発、生産する必要がない公衆回線または無線回線に接続する画像形成装置における管理装置を提供することを目的とするものである。【解決手段】第２の記憶手段に格納されているデータを、公衆回線または無線回線のネットワークへの送信に適した第２のデータ形式に変換する第２のデータ変換手段と、上記第２のデータ変換手段が変換したデータを、上記ネットワークを経由し、ホストコンピュータに送信する送信手段とを有し、上記ネットワークの種類に応じて、上記第２のデータ変換手段を交換することが可能である公衆回線または無線回線に接続する画像形成装置における管理装置である。【選択図】  図１
2004179714.tif 000002
【特許請求の範囲】
【請求項１】
画像形成装置の情報を検出する情報検出手段と；
上記情報検出手段が検出した情報を記憶する第１の記憶手段と；
上記第１の記憶手段に格納されている情報を、外部のホストコンピュータへ送信するために、第１のデータ形式に変換する第１のデータ変換手段と；
上記第１のデータ変換手段が変換したデータを、一時格納する第２の記憶手段と；
上記第２の記憶手段に格納されているデータを、公衆回線または無線回線のネットワークへの送信に適した第２のデータ形式に変換する第２のデータ変換手段と；
上記第２のデータ変換手段が変換したデータを、上記ネットワークを経由し、上記ホストコンピュータに送信する送信手段と；
を有し、上記ネットワークの種類に応じて、上記第２のデータ変換手段を交換することが可能であることを特徴とする公衆回線または無線回線に接続する画像形成装置における管理装置。
【発明の詳細な説明】
【０００１】
【発明の属する技術分野】
本発明は、公衆回線または無線回線に接続する画像形成装置における管理装置に関する。
【０００２】
【従来の技術】
従来の画像形成装置の管理装置は、公衆回線を用いたものが一般的であり、それ以外の通信形式の管理装置は、一般的には、利用することができないことが実情である。
【０００３】
【発明が解決しようとする課題】
しかし、近年、公衆回線以外の通信形式が利用可能であり、特に、無線を利用した携帯電話やＰＨＳ（登録商標）は、その利便性から、従来の電話回線を凌ぐいきおいで普及し、従来の管理装置では対応が不可能である。
【０００４】
そこで、携帯電話やＰＨＳ（登録商標）に対応する管理装置を新規に開発した場合、従来の電話回線を使用した管理装置を使用することもあり、結局、２種類の管理装置を生産する必要があるという問題がある。
【０００５】
また、携帯電話やＰＨＳ（登録商標）の世代交代に応じて、管理装置をその都度、開発・生産する必要があり、そのコストは非常に大きいという問題がある。
【０００６】
本発明は、公衆回線に対応する管理装置とは別に、携帯電話等に対応する管理装置を新規に開発した場合でも、２種類の管理装置を生産する必要がなく、また、携帯電話等の世代交代に応じて、管理装置をその都度、開発、生産する必要がない公衆回線または無線回線に接続する画像形成装置における管理装置を提供することを目的とするものである。
【０００７】
【課題を解決するための手段】
本発明は、画像形成装置の情報を検出する検出手段と、上記検出手段が検出したデータを記憶する第１の記憶手段と、上記第１の記憶手段に格納されている情報を、外部のホストコンピュータへ送信するために、第１のデータ形式に変換する第１のデータ変換手段と、上記第１のデータ変換手段が変換したデータを、一時格納する第２の記憶手段と、上記第２の記憶手段に格納されているデータを、公衆回線または無線回線のネットワークへの送信に適した第２のデータ形式に変換する第２のデータ変換手段と、上記第２のデータ変換手段が変換したデータを、上記ネットワークを経由し、上記ホストコンピュータに送信する送信手段とを有し、上記ネットワークの種類に応じて、上記第２のデータ変換手段を交換することが可能である公衆回線または無線回線に接続する画像形成装置における管理装置である。
【０００８】
【発明の実施の形態および実施例】
図１は、本発明の第１の実施例である画像形成システムＩＦＳ１の構成を示すブロック図である。
【０００９】
画像形成システムＩＦＳ１は、複数の画像形成装置１００と、通信制御装置１０１と、公衆回線１０２と、モデム１０３と、ホストコンピュータ１０４と、集中管理装置１０５と、管理装置１０６とを有する。
【００１０】
事業所等の規模が大きい場所に、多数の画像形成装置１００が設置される。
【００１１】
画像形成装置１００は、原稿を指定枚数複写する。
【００１２】
通信制御装置１０１は、画像形成装置１００に接続され、データを送受信し、集中管理装置１０５へ、無線通信で診断データを送信する。集中管理装置１０５は、ホストコンピュータ１０４へデータ送信する場合、公衆回線１０２を使用する。モデム１０３は、デジタルデータの送受信を可能とするものである。
【００１３】
ホストコンピュータ１０４は、画像形成装置１００からのデータに基づいて、画像形成装置１００を診断する。
【００１４】
管理装置１０６は、内部にモデムを内蔵し、公衆回線１０２に直接、接続可能である。
【００１５】
図２は、画像形成装置１００の構成例を示すブロック図である。
【００１６】
画像形成装置１００は、ＣＰＵ２００と、ＲＡＭ２０１と、ＲＯＭ２０２と、センサＩ／Ｏ２０３と、モータＩ／Ｏ２０４と、通信Ｉ／Ｏ２０５とを有する。
【００１７】
ＣＰＵ２００は、画像形成装置１００の全体を制御する。ＲＡＭ２０１は、ＣＰＵ２００のワーキングエリアや制御データの格納エリアとして使用される。
【００１８】
ＲＯＭ２０２は、制御プログラムを格納するメモリであり、センサＩ／Ｏ２０３、モータＩ／Ｏ２０４は、センサチェックやモータ駆動を行うＩ／Ｏであり、通信Ｉ／Ｏ２０５は、通信制御装置１０１との間で通信するＩ／Ｏである。
【００１９】
図３は、画像形成装置１００のソフト構成を示す図である。
【００２０】
リアルタイムモニタ３００は、複数のタスク３０１、３０２、３０３を同時に管理するモニタである。紙搬送タスク３０１は、１枚の紙について、給紙から排紙までを制御するタスクである。シーケンス制御タスク３０２は、画像形成装置１００全体の管理を行うタスクである。通信タスク３０３は、通信制御装置１０１との間で、通信するタスクである。
【００２１】
図４は、画像形成装置１００の内部に設けられている紙搬送部の構成を示す図である。
【００２２】
搬送ローラ４０１は、用紙４００を、破線で示す矢印方向へ搬送する。センサ４０２、４０３が、用紙４００の位置を検出する。
【００２３】
次に、画像形装置１００のジャム検知処理動作について説明する。
【００２４】
図５は、画像形成装置１００のジャム処理ルーチンを示すフローチャートである。
【００２５】
ＲＯＭ２０２に格納されている制御プログラムをＣＰＵ２００が実行する。用紙４００を搬送する場合、まず、Ｓ５０１では、搬送ローラ４０１を駆動する駆動モータをＯＮする。Ｓ５０２では、センサ４０２を監視する第１のタイマをスタートさせ、Ｓ５０３では、センサ４０３を監視する第２のタイマをスタートさせる。
【００２６】
Ｓ５０４では、所定時間後に、センサ４０２がＯＮしたか否かを判別する。センサ４０２がＯＮすると、Ｓ５０５では、第１のタイマがタイムアップしたか否かを判別する。
【００２７】
第１のタイマがタイムアップしなければ、ステップＳ５０４へ戻り、Ｓ５０５で、第１のタイマがタイムアップしていれば、滞留ジャムが発生していると判断し、滞留ジャム処理ルーチンにジャンプする。
【００２８】
Ｓ５０４で、第１のタイマで規定した時間以内にセンサ４０２がＯＦＦになっていれば、Ｓ５０６では、センサ４０３がＯＮであるか否かを判別する。センサ４０３がＯＦＦであれば、Ｓ５０７では、第２のタイマがタイムアップしたか否かを判別する。第２のタイマがタイムアップしていなければ、ステップＳ５０６へ戻る。Ｓ５０７で、第２のタイマがタイムアップしていれば、遅延ジャムが発生したと判断し、遅延ジャム処理ルーチンにジャンプする。
【００２９】
Ｓ５０６で、第２のタイマで規定した時間以内に第２のセンサ４０３がＯＮになれば、Ｓ５０８では、図示しない駆動モータをＯＦＦした後に、本処理動作を終了する。
【００３０】
図６は、上記実施例におけるジャムコードの構成例を示す図である。
【００３１】
図６に示すように、ジャムコードは、要因６０１とセンサ番号６０２とによって構成され、ジャム検知されたセンサ番号６０２に対応するジャム要因（遅延または滞留）６０１が、ＲＡＭ２０１に記憶される。
【００３２】
図７は、上記実施例における通信制御装置１０１の構成を示すブロック図である。
【００３３】
通信制御装置１０１は、制御装置７００と、無線子局７１０とを有する。
【００３４】
制御装置７００は、ＣＰＵ７０１によって制御され、ＣＰＵ７０１が動作するときにワーキングエリアとして使用されるＲＡＭ７０２と、ＣＰＵ７０１がプログラムを格納するＲＯＭ７０３と、画像形成装置１００との間でデータを送受信する通信Ｉ／Ｏ７０４と、無線子局７１０へデータ通信する無線子局通信Ｉ／Ｏ７０５と、ジャム情報と、エラー情報と、各種の複写回数カウンタ値とを記憶するメモリであり、バッテリーバックアップされているＲＡＭ７０７とを有する。
【００３５】
無線子局７１０は、ＣＰＵ７１１によって制御され、ＰＨＳ（登録商標）の無線通信回線１回線分（３２ｋｂｐｓ）の通信路を用い、２９．２ｋｂｐｓの実行速度のデータ通信を行うＰＩＡＦＳ用制御ＣＰＵ７１２と、ＲＡＭ７１３と、ＥＥＰＲＯＭ７１４と、無線を送受する無線部７１５と、制御装置７００との間で通信する制御装置通信Ｉ／Ｏ７１９とを有する。
【００３６】
無線部７１５は、送信部７１６と、受信部７１７と、アンテナ７１８とを有する。
【００３７】
無線子局７１０は、受信した信号を検波し、デジタル信号に変換することが可能であり、デジタル信号を無線データに変換し、送信することが可能である。すなわち、ホストコンピュータ１０４から画像形成装置１００のデータ要求があった場合、集中管理装置１０５を介して、信号を受信し、無線部７１５内の受信部７１７が、上記受信した信号を検波し、デジタル信号に変換し、制御装置７００内のＣＰＵ７０１に知らせる。
【００３８】
また、制御装置７００からホストコンピュータ１０４に、画像形成装置１００のデータを送信する場合、デジタル信号を無線データに変換し、集中管理装置１０５に送信し、集中管理装置１０５を介して、ホストコンピュータ１０４へ画像形成装置１００のデータを送信する。
【００３９】
無線子局７１０は、制御装置通信Ｉ／Ｏ７１９から受信したＡＴコマンドを、ＥＥＰＲＯＭ７１４に格納されているプログラムに従って、ＣＰＵ７１１が解釈実行することによって動作する。
【００４０】
また、制御装置７００内には、表示装置と接続可能な表示通信Ｉ／Ｏ７０６と、プリンタと接続可能なプリンタＩ／Ｏ７０９と、時刻を管理するタイマＩＣ７０８とを有する。
【００４１】
図８は、モデムユニット７２０を有する管理装置１０６を示すブロック図である。
【００４２】
管理装置１０６は、制御装置７００とモデムユニット７２０とを有する。
【００４３】
モデムユニット７２０は、ＣＰＵ７２１によって制御され、ＮＣＵを経由した変復調装置でデジタル・アナログ変換を行っている。また、モデムユニット７２０は、制御装置通信Ｉ／Ｏ７２４から受信したＡＴコマンドを、ＥＥＰＲＯＭ７２３に格納されているプログラムに従って、ＣＰＵ７２１が解釈実行することによって動作する。
【００４４】
図９は、上記実施例におけるＡＴコマンドとジャムデータとを示す図である。
【００４５】
図９には、無線子局７１０またはモデムユニット７２０を、制御装置７００が制御するために使用するＡＴコマンドと、外部のホストコンピュータに画像形成装置１００のジャムデータを送信するために使用するデータコマンドとの例が示されている。
【００４６】
図９（１）に示す回線接続コマンドは、回線を接続するためのコマンドであり、‘Ａ’、‘Ｔ’、‘Ｄ’の後に続く電話番号に発呼し、回線を接続するコマンドである。
【００４７】
図９（２）に示すエスケープコマンドは、オンラインモードからコマンドモードへ移行させるために使用するエスケープコマンドである。
【００４８】
無線子局７１０またはモデムユニット７２０は、一旦、オンラインモードになると、それ以降のコマンドは全て相手側に送信する。したがって、オンラインモードの場合、エスケープコマンドを送信した後に、ＡＴコマンドを送信する必要がある。
【００４９】
図９（３）に示す回線切断のコマンドによって、接続されていた回線は切断される。
【００５０】
図９（４）に示すジャムデータのコマンドは、外部のホストコンピュータにデータを送信するコマンドである。上記送信されるデータは、画像形成装置１００から送信されたジャムデータの例である。ホストコンピュータに送信されるデータは、全てアスキーデータによって構成されている。先頭の２バイトは、コマンドの種類を示すＩＤである。その後は、送信すべきデータが続き、チェックサム、ＣＲ、ＬＦとなっている。
【００５１】
図１０は、画像形成装置１００と通信制御装置１０１との間における通信コマンドの一例を示す図である。
【００５２】
ＩＤによって、コマンドの種類を示し、ｌｅｎｇｔｈでデータ長を示し、ｓｕｍは、通信エラー検出用である。図１０に示す通信コマンドは、排紙時のカウントパルス（ＩＤ＝１）と、ジャム（ＩＤ＝２）とが、それぞれの画像形成装置１００で発生した時に、通信制御装置１０１に送信されるデータである。
【００５３】
通信制御装置１０１側で、排紙時のカウントパルスをカウントすることによって、複写枚数を認識することができ、ジャムである場合には、ジャムコードによってジャムの種類を認識することができる。
【００５４】
図１１は、通信制御装置１０１のＣＰＵ７０１が実行するプログラムの構成を示す図である。
【００５５】
リアルタイムモニタ９００は、複数のタスクを同時に管理するモニタである。状態監視タスク９０１は、画像形成装置１００の状態を常に監視している。無線通信監視タスク９０２は、送受信を可能とするために、無線子局７１０の制御を行っている。送信タスク９０３は、集中管理装置１０５にデータを送信する。
【００５６】
図１２は、通信制御装置１０１の状態監視タスク９０１の動作を示すフローチャートである。
【００５７】
状態監視タスク９０１は、ＲＯＭ７０３に格納されている制御プログラムに従ってＣＰＵ７０１が実行する。
【００５８】
まず、Ｓ１００１では、画像形成装置１００にジャムが発生したか否かを判別し、ジャムが発生していると判別すると、Ｓ１００２では、カウンタ値を画像形成装置１００から取得し、Ｓ１００３では、現在時刻を取得する。
【００５９】
Ｓ１００４では、ステップＳ１００２とＳ１００３とで、それぞれ取得したカウンタ値と現在時刻とを、ＲＡＭ７１０上のジャム記録テーブルに記録する。その後、Ｓ１００５では、ジャム記録テーブルに記憶されているジャムの数が、既定の値に達したか否かを判別する。
【００６０】
ジャム記録テーブルに記録されているジャムの数が規定値に達していれば、Ｓ１００６では、送信タスク９０３を起動し、集中管理装置１０５を介して、ホストコンピュータ１０４へ、自動的に電話をかけ、ジャム記録テーブルに記録されているデータ内容を送信した後に、ステップＳ１００１へ戻る。また、ステップＳ１００５において、ジャム記録テーブルに記録されているジャムの数が規定値に達していない場合も、ステップＳ１００１へ戻る。
【００６１】
図１３は、集中管理装置１０５の内部構成を示す構成図である。
【００６２】
集中管理装置１０５は、集中制御装置１１００と、無線基地局１１１０とを有する。
【００６３】
集中制御装置１１００は、ＣＰＵ１１０１によって制御され、ＣＰＵ１１０１が動作するときに、ワーキングエリアとして使用されるＲＡＭ１１０２と、ＣＰＵ１１０１が動作するプログラムを格納するＲＯＭ１１０３と、無線基地局１１１０へデータ通信する無線基地局通信Ｉ／Ｏ１１０４と、モデムと通信するモデム通信Ｉ／Ｏ１１０５と、ホストコンピュータ１０４との間で公衆回線を介してデータ通信を行うモデム１１０６とを有する。
【００６４】
無線基地局１１１０は、ＣＰＵ１１１１によって制御され、ＰＨＳ（登録商標）の無線通信回線１回線分（３２ｋｂｐｓ）の通信路を用いて、２９．２ｋｂｐｓの実行速度のデータ通信を行うＰＩＡＦＳ用制御ＣＰＵ１１１２と、ＲＡＭ１１１３と、ＥＥＰＲＯＭ１１１４と、制御装置通信Ｉ／Ｏ１１１５と、無線を送受する無線部１１１６とによって構成されている。
【００６５】
無線部１１１６は、送信部１１１７と、受信部１１１８と、アンテナ１１１９とを有する。
【００６６】
無線基地局１１１０は、待ち受けでは報知信号を発信し、集中制御装置１１００は、表示装置を接続可能な表示通信Ｉ／Ｏ１１０７と、プリンタと接続可能なプリンタ接続Ｉ／Ｏ１１０８とを有する。
【００６７】
無線基地局１１１０は、受信した報知信号を検波し、データの送受信が可能な状態になり、また、受信されたデータをデジタル信号に変換することが可能であり、また、デジタル信号を無線データに変換し、送信することも可能である。
【００６８】
図１４は、通信制御装置１０１から、集中管理装置１０５を介して、ホストコンピュータ１０４へデータを送信する送信タスクの動作を示すフローチャートである。
【００６９】
通信制御装置１０１の送信タスク９０３は、ＲＯＭ７０３に格納されている制御プログラムに従って、ＣＰＵ７０１によって実行される。集中管理装置１０５も、通信制御装置１０１と同様に、リアルタイムモニタで、複数のタスクを管理し、データの送受信を可能とするモデム制御タスク、無線通信を監視する無線通信監視タスク、ホストコンピュータ１０４にデータを送信する送信タスクを有する（図示せず）。
【００７０】
集中管理装置１０５からホストコンピュータ１０４へのデータ送信は、ＲＯＭ１１０３に格納されている制御プログラムに従って、ＣＰＵ１１０１によって実行される。
【００７１】
まず、Ｓ１２０１では、通信制御装置１０１から集中管理装置１０５に無線電話をかける。次に、Ｓ１２０２では、正常に無線接続されたか否かを判別する。正常に無線接続された場合は、Ｓ１２０３で、集中制御装置１０５からホストコンピュータへ有線電話をかける。
【００７２】
さらに、Ｓ１２０４では、正常に有線接続されたか否かを判別する。正常に有線接続された場合は、Ｓ１２０５で、パスワードチェックを行い、Ｓ１２０６では、パスワードのチェックがＯＫか否かを判別する。チェックＯＫである場合には、Ｓ１２０７で、ジャム記録テーブルに記憶されている内容を、集中管理装置１０５を介して、ホストコンピュータ１０４に送信する。
【００７３】
このデータ送信完了後、Ｓ１２０８で、回線断処理を行った後に、本処理動作を終了する。回線断処理は、先にホストコンピュータ１０４から集中管理装置１０５の有線回線を切断した後に、集中管理装置１０５から通信制御装置１０１の無線回線を切断する。
【００７４】
また、上記Ｓ１２０６においてチェックＯＫでない場合には、Ｓ１２０７をスキップし、Ｓ１２０８に進み、回線断処理を行った後に、本処理動作を終了する。一方、Ｓ１２０２において、正常に無線接続されない場合には、Ｓ１２０９で通信制御装置１０１内のリトライカウンタに１を加算した後に、Ｓ１２１０では、リトライ回数が５回以下か否かを判別する。
【００７５】
そして、リトライ回数が５回以下である場合には、Ｓ１２１１で、一定時間待機した後に、Ｓ１２０１へ戻る。
【００７６】
また、Ｓ１２１０において、リトライ回数が５回以下でない場合には、何も処理せずに、本処理動作を終了する。また、Ｓ１２０４において正常に有線接続されない場合、Ｓ１２１２では、集中管理装置１０５は、通信制御装置１０１との無線接続を切断する。
【００７７】
Ｓ１２１３では、通信制御装置１０１内のリトライカウンタに１を加算した後に、Ｓ１２１４で、リトライ回数が５回以下であるか否かを判別する。リトライ回数が５回以下である場合には、Ｓ１２１１で、一定時間待機した後に、Ｓ１２０１へ戻る。また、Ｓ１２１４においてリトライ回数が５回以下でない場合、何も処理せずに、本処理動作を終了する。
【００７８】
図１５は、ホストコンピュータ１０４の構成を示すブロック図である。
【００７９】
ＣＰＵ１３００は、ホストコンピュータ１０４の全体を制御するものである。ＲＡＭ１３０１は、ＣＰＵ１３００が画像形成装置１００の診断を行うためのプログラムやデータを格納する。ハードディスク１３０２は、受信したデータを保存しておくものであり、画像形成装置１００側から受信したジャムデータ等を、ここに保存する。
【００８０】
キーボード１３０３は、オペレータが各種の指示を与えるためのキーボードである。ディスプレイ装置１３０４は、ホストコンピュータ１０４が情報を出力するためのディスプレイ装置である。シリアルポート１３０５は、モデム１０３とデータ送受信するためのシリアルポートである。
【００８１】
図１６は、上記実施例において、ホストコンピュータ１０４の処理を示すフローチャートである。
【００８２】
図１６に示す処理ルーチンは、ＲＡＭ１３０１に格納されている制御プログラムに従って、ＣＰＵ１３００によって実行される。通常、ホストコンピュータ１０４は、モデム１０３からの着信信号を待ち、Ｓ１４０１では、モデム１０３からの着信信号があったか否かを判別する。そして、モデム１０３からの着信信号があれば、Ｓ１４０２で、パスワードチェックを行い、Ｓ１４０３で、パスワードチェックがＯＫか否かを判別する。
【００８３】
チェックがＯＫであれば、Ｓ１４０４で、ジャムデータを受信する。このデータ受信完了後に、Ｓ１４０５で回線断処理を行った後に、Ｓ１４０６でハードディスク１３０２にジャムデータを格納する。このジャムデータを格納完了した後に、Ｓ１４０７で、ジャムデータに基づいて診断を行い、Ｓ１４０８で、Ｓ１４０７における診断結果が警告レベルに達しているか否かを判別する。
【００８４】
上記診断結果が警告レベルに達していれば、Ｓ１４０９で、ディスプレイ１３０４に警告情報を表示し、オペレータに通知した後に、Ｓ１４０１に戻る。また、Ｓ１４０８において、ジャムデータによる診断結果が警告レベルに達していなければ、Ｓ１４０１に戻る。一方、Ｓ１４０３においてチェックがＯＫでない場合、Ｓ１４１０で回線断処理を行った後に、Ｓ１４０１へ戻る。
【００８５】
図１〜図１６に示した実施例は、画像形成装置１００にジャムが発生した異常データをホストコンピュータ１０４へ送信し、診断を行う形態であるが、画像形成装置１００のエラー情報が、上記と同様に、ホストコンピュータ１０４へ送信され、診断される。同時に、画像形成装置１００の各種カウンタ情報を、ホストコンピュータ１０４へ送信するようにしてもよい。
【００８６】
また、上記各実施例を、次の実施態様として把握することができる。
【００８７】
［実施態様１］  画像形成装置の情報を検出する情報検出手段と；
上記情報検出手段が検出した情報を記憶する第１の記憶手段と；
上記第１の記憶手段に格納されている情報を、外部のホストコンピュータへ送信するために、第１のデータ形式に変換する第１のデータ変換手段と；
上記第１のデータ変換手段が変換したデータを、一時格納する第２の記憶手段と；
上記第２の記憶手段に格納されているデータを、公衆回線または無線回線のネットワークへの送信に適した第２のデータ形式に変換する第２のデータ変換手段と；
上記第２のデータ変換手段が変換したデータを、上記ネットワークを経由し、上記ホストコンピュータに送信する送信手段と；
を有し、上記ネットワークの種類に応じて、上記第２のデータ変換手段を交換することが可能であることを特徴とする公衆回線または無線回線に接続する画像形成装置における管理装置。
【００８８】
［実施態様２］  実施態様１において、
上記ネットワークは、無線回線であり、上記第２のデータ変換手段は、ＰＨＳ（登録商標）データ通信装置であることを特徴とする公衆回線または無線回線に接続する画像形成装置における管理装置。
【００８９】
［実施態様３］  実施態様１において、
上記ネットワークは、公衆回線であり、上記第２のデータ変換手段は、モデム装置であることを特徴とする公衆回線または無線回線に接続する画像形成装置における管理装置。
【００９０】
［実施態様４］  実施態様１において、
上記第１のデータ形式は、上記ネットワークへの接続または切断を、上記第２のデータ変換手段に指示するＡＴコマンドを含むデータ形式であることを特徴とする公衆回線または無線回線に接続する画像形成装置における管理装置。
【００９１】
【発明の効果】
本発明によれば、無線局とモデムユニットとを交換可能とし、制御装置は、無線局、モデムユニットのどちらに対しても、ＡＴコマンドによって制御することができるので、設置場所に応じて、無線または有線のどちらにでも、フレキシブルに対応することができるという効果を奏し、またＰＨＳ（登録商標）ユニットのように、世代交代が激しいユニットについては、その部分だけを変更することによって対応できるという効果を奏する。
【図面の簡単な説明】
【図１】本発明の第１の実施例である画像形成システムＩＦＳ１の構成を示すブロック図である。
【図２】画像形成装置１００の構成例を示すブロック図である。
【図３】画像形成装置１００のソフト構成を示す図である。
【図４】画像形成装置１００の内部に設けられている紙搬送部の構成を示す図である。
【図５】画像形成装置１００のジャム処理ルーチンを示すフローチャートである。
【図６】上記実施例におけるジャムコードの構成例を示す図である。
【図７】上記実施例における通信制御装置１０１の構成を示すブロック図である。
【図８】モデムユニット７２０を有する管理装置１０６を示すブロック図である。
【図９】上記実施例におけるＡＴコマンドとジャムデータとを示す図である。
【図１０】画像形成装置１００と通信制御装置１０１との間における通信コマンドの一例を示す図である。
【図１１】通信制御装置１０１のＣＰＵ７０１が実行するプログラムの構成を示す図である。
【図１２】通信制御装置１０１の状態監視タスク９０１の動作を示すフローチャートである
【図１３】集中管理装置１０５の内部構成を示す構成図である。
【図１４】通信制御装置１０１から、集中管理装置１０５を介して、ホストコンピュータ１０４へデータを送信する送信タスクの動作を示すフローチャートである。
【図１５】ホストコンピュータ１０４の構成を示すブロック図である。
【図１６】上記実施例において、ホストコンピュータ１０４の処理を示すフローチャートである。
【符号の説明】
ＩＦＳ１…画像形成システム、
１００…画像形成装置、
１０１…通信制御装置、
１０２…公衆回線、
１０３…モデム、
１０４…ホストコンピュータ、
１０５…集中管理装置、
１０６…管理装置、
７００…制御装置、
７１０…無線子局。
【図１】
2004179714.tif 000003
【図２】
2004179714.tif 000004
【図３】
2004179714.tif 000005
【図４】
2004179714.tif 000006
【図５】
2004179714.tif 000007
【図６】
2004179714.tif 000008
【図７】
2004179714.tif 000009
【図８】
2004179714.tif 000010
【図９】
2004179714.tif 000011
【図１０】
2004179714.tif 000012
【図１１】
2004179714.tif 000013
【図１２】
2004179714.tif 000014
【図１３】
2004179714.tif 000015
【図１４】
2004179714.tif 000016
【図１５】
2004179714.tif 000017
【図１６】
2004179714.tif 000018